Podtech/llm-jp-corpus-v4-ja_patent huggingface dataset:
(57)【要約】【課題】簡単な操作で、厚さが異なる種々の被取付体に、細かく対応して取り付けられるように調整することができるようにすることが本発明の課題である。【解決手段】支持体１と腕体２を有する物掛け具において、支持体１は、上板部６の前縁に前板部５を略垂直下方に設けると共に前板部５に受孔７を設けて成り、腕体２は、先端部に引掛部１０を設けると共に後端部に受具３を回動可能に設けて成り、受具３は、回動中心からの距離が異なる複数の当接面１１〜１３を設けて成り、支持体１の受孔７に腕体２を挿通して、支持体１の上板部６を被取付体Ｔの上面に載置すると共に、腕体２に設けた受具３のいずれかの当接面１１〜１３を被取付体Ｔの下面に当接させて取り付けるように成し、受具３を回動することによって腕体２からの突出高さを異ならせることができる。【選択図】図１
2005034349.tif 000002
【特許請求の範囲】
【請求項１】
支持体と腕体を有する物掛け具において、支持体は、上板部の前縁に前板部を略垂直下方に設けると共に前板部に受孔を設けて成り、腕体は、先端部に引掛部を設けると共に後端部に受具を回動可能に設けて成り、受具は、回動中心からの距離が異なる複数の当接面を設けて成り、支持体の受孔に腕体を挿通して、支持体の上板部を被取付体の上面に載置すると共に、腕体に設けた受具のいずれかの当接面を被取付体の下面に当接させて取り付けるように成し、受具を回動することによって腕体からの突出高さを異ならせることができることを特徴とする物掛け具。
【発明の詳細な説明】
【技術分野】
【０００１】
本発明は、窓枠やドア枠の上枠や鴨居等の被取付体に取り付けて、主に、洗濯物を掛けたハンガー等を吊下げて物干として使用する物掛け具に関するものである。
【背景技術】
【０００２】
従来より、この種の物掛け具は実願昭５９−４６２１０号（実開昭６０−１５８４７６号）が提案されている。この第１の従来例においては、取付可能な被取付体の厚さは、支持体の上板部下面と、受孔に挿通した腕体の当接部上面との間の距離によって決まるが、その距離を調整するために、腕体を挿通する受孔を複数段設けて対応している。
しかし上記従来例においては、その距離を細かく調整するには、受孔間の距離を短くすればよいが、そうすると支持体の強度が低下するため、細かく調整できるようにするのは困難であるという問題点があった。
【０００３】
その問題点を解決するために、特願平８−２１２１３５号（特開平１０−３３３５３号）発明が提案された。この第２の従来例においては、腕体後端部に設けた受部の上部及び下部に、それぞれ上下方向に突出する当接部を形成して、これら当接部の突出高さを異ならせたものである。
そして、受孔に挿通する腕体の上下を逆にすることによって、支持体の上板部の下面と腕体の当接部の上面との距離を変更することができるようになっており、１つの受孔に対して２通りの被取付体の厚さに対応することができるものである。従って、支持体の強度を低下させることなく、厚さが異なる種々の被取付体に、細かく対応して取り付けられるように調整できるものである。
【特許文献１】実開昭６０−１５８４７６号公報
【特許文献２】特開平１０−３３３５３号公報
【発明の開示】
【発明が解決しようとする課題】
【０００４】
しかし上記の調整をするには、腕体を受孔から外して上下を反転してから再び受孔に挿通しなくてはならず、その操作が面倒であるという問題があり、簡単な操作で、厚さが異なる種々の被取付体に、細かく対応して取り付けられるように調整することができるようにすることが本発明の課題である。
【課題を解決するための手段】
【０００５】
本発明は、上記の課題を解決するために、支持体と腕体を有する物掛け具において、支持体は、上板部の前縁に前板部を略垂直下方に設けると共に前板部に受孔を設けて成り、腕体は、先端部に引掛部を設けると共に後端部に受具を回動可能に設けて成り、受具は、回動中心からの距離が異なる複数の当接面を設けて成り、支持体の受孔に腕体を挿通して、支持体の上板部を被取付体の上面に載置すると共に、腕体に設けた受具のいずれかの当接面を被取付体の下面に当接させて取り付けるように成し、受具を回動することによって腕体からの突出高さを異ならせることができるようにして成るものである。
【発明の効果】
【０００６】
本発明は、腕体の受具を回動することによって、厚さが異なる被取付体に対応して取り付けられるように調整できるので、腕体を支持体からその都度取り外す必要がなく、その操作が簡単であるという効果がある。
【実施例１】
【０００７】
本発明の物掛け具は、支持体１と腕体２を有し、腕体２の後端部に受具３を回動可能に設けてある。支持体１は、矩形状の金属板の上部を直角に折曲して形成され、前板部５の上端に上板部６を設けて成り、前板部５には、下半部に３つの横長の受孔７・・・７を設け、上板部６には、中央に円形の釘孔９を設けると共に、後端縁の２箇所に下方向に突出する爪部８・８を設けてある。
【０００８】
腕体２は、金属棒材をほぼ細長い矩形状に折曲して先端部分を引掛部１０としてある。さらに、腕体２の先端は円弧状とし、後端には、ゴム製で略三角柱状の受具３を回動可能に設けてある。
【０００９】
受具３は、図３に示すように、略三角形の中心からずれた位置に孔１４を設けて、その孔１４の中心から略三角形の各辺までの距離を異ならせてある。孔１４の中心からの距離が最も長い距離ａにある面を第１の当接面１１、次に長い距離ｂにある面を第２の当接面１２、最も短い距離ｃにある面を第３の当接面１３としてある。なお、受具３の当接面の数は２つ以上であればよいが、形状が複雑になりすきず調整も少なすぎない数、３つあるいは４つが適当である。
【００１０】
ストッパー４は、合成樹脂製で円弧状に形成したもので、弾性により腕体２に嵌め込めるようになってる。
【００１１】
次に使用方法を説明する。まず、支持体１の上板部６を、被取付体Ｔの上面に載置し、爪部８・８を喰い込ませる。必要に応じ、釘孔９から釘（図示せず）を打ち込む。腕体２がほぼ水平になる位置の受孔７を選んで、腕体２を受孔７の後方から挿通し、ストッパー４・・・４を嵌め込む。ストッパー４は、腕体２が支持体１から抜け落ちないようにすると共に、引掛部１０に引っ掛けるハンガー等が滑って動かないようにするためのものである。
【００１２】
そして、腕体２を受孔７の後方から挿通した後、腕体２をより水平にするために、受具３を回動して当接面１１〜１３のいずれか最適な当接面を選んで被取付体Ｔの下面に当接させる。
【図面の簡単な説明】
【００１３】
【図１】本発明の全体斜視図である。
【図２】本発明の取付状態を示す一部断面図である。
【図３】受具の側面図である。
【図４】取付状態を示す要部拡大断面図であって、被取付体の厚さが薄い順に（Ａ）〜（Ｃ）になっている。
【符号の説明】
【００１４】
１    支持体
２    腕体
３    受具
５    前板部
６    上板部
７    受孔
１０    引掛部
１１    当接面
１２    当接面
１３    当接面
【図１】
2005034349.tif 000003
【図２】
2005034349.tif 000004
【図３】
2005034349.tif 000005
【図４】
2005034349.tif 000006
(57)【要約】【課題】  収納部の四隅に柱を設けなくても転倒しない構造とすることにより、室内を充分に利用できる収納器具を提供する。【解決手段】  平面Ｌ字形の天板と、天板と略同じ形状の底板、及び、天板と底板の間をつなぐ側板を備えることにより、箱状の収納器具を造り、この収納器具を背面側の隅部で支持する第１の柱と、該隅部に隣接する２個の端部でそれぞれ支持する第２及び第３の柱とで支持し、天板が天井に密接するようにして固定する。【選択図】  図１
2005034346.tif 000002
【特許請求の範囲】
【請求項１】
平面Ｌ字形の天板と、この天板を隅部で支持する第１の柱と、該隅部に隣接する２個の端部でそれぞれ支持する第２及び第３の柱とを備え、天板が天井に密接するようにしたことを特徴とする収納器具。
【請求項２】
天板と略同一形状の底板と、第１の柱と第２及び第３の柱との間において天板と底板の間をつなぐ側板とをさらに備え、各柱を側板の縦辺に対し固定したことを特徴とする請求項１記載の収納器具。
【請求項３】
天板を支持する柱の長さを調節できるようにした請求項１記載の収納器具。
【請求項４】
天板が、一方の辺が他の辺に比して長い平面Ｌ字形である請求項１記載の収納器具。
【発明の詳細な説明】
【技術分野】
【０００１】
この発明は、設置したとき部屋の上部を除いた部分に利用可能な空間ができるような収納器具に関するものである。
【背景技術】
【０００２】
部屋の空間を無駄無く使うことは現在の家屋の状況では極めて重要なことであり、そのため高いところに収納部がある整理棚などが好まれている。例えばシステムキッチンなどでは流しや、コンロの上方に棚が予め造り付けられている。
【発明の開示】
【発明が解決しようとする課題】
【０００３】
しかしながら、この種の収納器具は、収納物の重みによる転倒を防ぐために建物の構造と一体化させるか、四隅に柱を設ける等する必要があり、特に棚の横幅が部屋の幅よりも小さい場合には、棚の先端部を支持する柱が室内の利用を妨げていた。この発明は、天井を利用することにより収納器具の倒れるのを防止しようとするもので、収納器具を支持する柱を減少し、室内を充分に利用する目的を有するものである。
【課題を解決するための手段】
【０００４】
本発明は、平面Ｌ字形の天板と、この天板を隅部で支持する第１の柱と、該隅部に隣接する２個の端部でそれぞれ支持する第２及び第３の柱とを備え、天板が天井に密接するようにして、上記の目的を達する。
【０００５】
上記の構造に、天板と略同じ形状の底板、及び、第１の柱と第２及び第３の柱との間において天板と底板の間をつなぐ側板を備えることにより、箱状の収納器具を造ることができる。各柱は側板の縦辺に金具等により固定すれば全体の形が歪んで転倒するのを防ぐことができる。底板を設ける代わりに吊下げ等により物を収納してもよい。また側板の代わりに斜材等により柱の上部を固定してもよい。
【発明の効果】
【０００６】
この収納器具は、天板の隅部と、該隅部に隣接する両端部の柱のみにより支持されていても、天板が天井に密接しているので、収納物の重み等による前方への傾斜を防ぐことができるものである。
【発明を実施するための最良の形態】
【０００７】
以下、図面を参照しつつ、発明を実施するための最良の形態を説明する。
【実施例１】
【０００８】
図１において１は収納器具本体であって、上方から見て一方の辺が他方の辺に比して長いＬ字形をしており、木材、金属、プラスチックスなどの材料の板材から成る天板２、底板３及び両者をつなぐ側板４により箱状に構成され、それ以外の前面は開放されており、前面には適宜扉５が開閉できるように取付けられている。
【０００９】
６は柱であり、天板２を天井に密接するように支持するもので、第１の柱６ａはＬ字形の天板２の外側の隅部ａに、第２、第３の柱６ｂ、６ｂは隅部ａから隣接する両端部ｂ、ｂに設けられている。柱６は天板２に直接取付けられても、収納器具本体１の側板４に固定されても底板３に取付けられてもよく、天板２を天井に密接させることができれば取付位置は限定されるものではない。また柱６と収納器具本体１との結合は種々の構造が採用できるが、組立ての容易性を考慮すれば取り外し可能であること好ましい。この実施例では各柱の２個所に長孔７を持つ金具８を固定し、この長孔７と嵌合する突起９を天板２又は側板４に固定し、両者を結合する手段を採用しているが、これに限定されるものではない。
【００１０】
また、柱６の長さは部屋の天井の高さに応じて変更できるように長さを調節できるような構造とすることが好ましい。
【００１１】
室内におけるこの収納器具の設置状態を説明すると、図２に示すように収納器具本体の天板２は部屋の天井に密接することが必要であり、柱６は隅部ａ及び隣接する両端部ｂ、ｂにおいて天板２が天井に密接する高さを保つように立設固定するものである。
【産業上の利用可能性】
【００１２】
この発明の収納器具は上記のような構造より成るので、柱を部屋の隅部の壁に接して立てれば収納器具は天井に接しており、部屋の上部を占めるのみであり、また柱は隅部と隅部に隣接する両端部の３個所のみであるため空間の利用の妨げとならず、さらに設置に天井、壁などを傷つけることがないため、狭い部屋、賃貸住宅などにおける収納器具として好適なものである。
【図面の簡単な説明】
【００１３】
【図１】上方から見た斜視図
【図２】下方から見た斜視図
【図３】柱の取付金具の正面図
【符号の説明】
【００１４】
１    収納器具本体
２    天板
３    底板
４    側板
６    柱
【図１】
2005034346.tif 000003
【図２】
2005034346.tif 000004
【図３】
2005034346.tif 000005
(57)【要約】      （修正有）【課題】酸素富化ガスを顔面部、頭部に接触することなく、富化酸素の供給源から鼻孔付近まで導くことができる富化酸素供給用鼻カヌューレの提供。【解決手段】富化酸素供給用鼻カヌューレは、両耳部にかけるための耳掛部１ａ，１ｂ、耳掛部１ａ，１ｂに接続し、患者の後頭部を圧迫しないよう当接するように形成された支持体１、この支持体１からさらに鼻孔近くに延び、所定の剛性を有し、富化酸素が通るルーメンを有する延設部材２、この延設部材２の先端に設けられ、鼻孔に富化酸素を導く導入部材３と、からなることを特徴とする。【選択図】  図１
2005034201.tif 000002
【特許請求の範囲】
【請求項１】
両耳部にかけるための耳掛部、
該耳掛部に接続し、患者の後頭部を圧迫しないよう当接するように形成された支持体、
該支持体からさらに鼻孔近くに延び、所定の剛性を有し、富化酸素が通るルーメンを有する延設部材、
該延設部材の先端に設けられ、鼻孔に該富化酸素を導く導入部材と、
からなることを特徴とする富化酸素供給用鼻カヌューレ。
【請求項２】
該導入部材は、該延設部材着脱可能に設けられることを特徴とする請求項１に記載の富化酸素供給用鼻カヌューレ。
【請求項３】
該導入部材は、酸素富化ガスを噴出させる孔を１つ以上を持つことを特徴とする請求項１に記載の富化酸素供給用鼻カヌューレ。
【請求項４】
該導入部材は、さらに、多孔性の肌当パッドを備えることを特徴とする請求項１ないし３のいずれかに記載の富化酸素供給用鼻カヌューレ。
【請求項５】
該延設部材は、内径１〜２ｍｍの形状記憶合金または形状記憶樹脂で形成されることを特徴とする請求項１に記載の富化酸素供給用鼻カヌューレ。
【請求項６】
該形状記憶合金は、ＮＩ−Ｔｉ系合金であることを特徴とする請求項５に記載の富化酸素供給用鼻カヌューレ。
【請求項７】
該延設部材は、内径１〜２ｍｍで合成樹脂で形成され、コイル状又は線状の形状記憶合金または形状記憶樹脂で補強されることを特徴とする請求項１に記載の富化酸素供給用鼻カヌューレ。
【発明の詳細な説明】
【０００１】
【発明の属する技術分野】
本発明は、酸素富化ガスを吸入するための鼻カヌューレに関する。更に詳細には、酸素富化ガスを衛生的にかつ、顔面部及び頭部への違和感なしに供給する用具に関するものである。また、鼻孔へ挿入することなく酸素富化ガスを衛生的に供給する富化酸素供給用鼻カヌューレに関する。
【０００２】
【従来の技術】
従来、酸素吸入のための、富化酸素供給用鼻カヌューレとして、外出の際にも目立たなくするために眼鏡型のものが提案されている。
【特許文献１】特開平１１−７６４０７号公報
また、鼻孔へ挿入している状態を目立たなくするために鼻孔の片方にカヌューレを挿入する眼鏡型のものも提案されている。
【特許文献２】特開２００１−５４５７５号公報
また、鼻孔へ挿入している状態を隠すためにマスクを着脱した鼻カヌューレも提案されている。
【特許文献３】特許  ２７１０６７９号公報
【０００３】
しかしながら、従来のものは、いずれも鼻孔にカニューレを挿入して酸素吸入を行うもので、マスク、カニューラは、使用者に違和感があり、リラックス効果を著しく妨げる問題を有している。
【０００４】
【発明が解決しようとする課題】
本発明は、上記問題点に鑑みてなされたもので、患者の顔、表情を隠すことがなく、リラックス効果、清潔感を増す酸素富化ガスを供給する富化酸素供給用鼻カヌユーレを提供することを目的とするものである。
【０００５】
【課題を解決するための手段】
上記問題点を解決するために、本発明の富化酸素供給用鼻カヌューレは、両耳部にかけるための耳掛部、耳掛部に接続し、患者の後頭部を圧迫しないよう当接するように形成された支持体、支持体からさらに鼻孔近くに延び、所定の剛性を有し、富化酸素が通るルーメンを有する延設部材、延設部材の先端に設けられ、鼻孔に該富化酸素を導く導入部材と、からなることを特徴とする。
【０００６】
また、導入部材は、該延設部材着脱可能に設けられることを特徴とする。また、導入部材は、富化酸素を噴出させる孔を１つ以上を持つことを特徴とする。また、導入部材は、さらに、多孔性の肌当パッドを備えることを特徴とする。また、延設部材は、内径１〜２ｍｍの形状記憶合金または形状記憶実施で形成されることを特徴とする。また、超弾性合金は、ＮＩ−Ｔｉ系合金であることを特徴とする。また、延設部材は、内径１〜２ｍｍで形成され、コイル状又は線状の形状記憶合金または形状記憶樹脂で補強されることを特徴とする
【０００７】
【発明の実施の形態】
以下、図面に基づき、本発明の実施例について説明する。図１は、本発明の実施例の富化酸素供給用カヌューレ（富化酸素供給用鼻カヌューレ）を示すもので、図１（ａ）は、患者Ｐに装着した時の正面斜視図、図１（ｂ）は、患者Ｐに装着した時の背面面斜視図である。円弧状の支持体１、両耳に掛けるために支持体から延設された耳掛部１ａ，１ｂ、支持体１下部からさらに患者Ｐの鼻孔近くに延び、所定の剛性を有し、富化酸素が通るルーメンを有する延設部材２、延設部材の先端に設けられ、鼻孔に富化酸素を導く導入部材３、チューブ５で構成されている。
【０００８】
この支持体１は、軽量で所定の剛性を有する熱可塑性樹脂またはチタン系合金等の軽金属合金等で形成される。また、耳掛部１ａ，１ｂは、軽量で所定の剛性を有するチタン径合金等の軽金属合金、形状記憶樹脂等で形成される。なお、支持体１と耳掛部１ａ，１ｂは一体的に形成してもかまわない。
【０００９】
延設部材２は、酸素濃縮装置（不図示）へ連通する可撓性チューブ５を介して、富化酸素が所定流量（０．５〜３Ｌ／分）通るように内径１〜２ｍｍ程度の内部ルーメンを有している。折り曲がり等の防止のために、形状記憶合金で形成するか、熱可塑性樹脂に形状記憶合金ワイヤーを一体化させて形成する。また、延設部材２は、内径１〜２ｍｍで合成樹脂で形成し、コイル状又は線状の形状記憶合金または形状記憶樹脂で補強するようにしてもよい。
【００１０】
導入部材３は、延設部材２に着脱可能に設けられ、富化酸素を噴出させる孔を１つ以上を持つようにするのが好ましい。また、多孔性の肌当パッド４を導入部材３に設け、導入部材３が直接、患者Ｐの肌に当らないようにしてもよい。
【００１１】
なお、本願発明は、実施例に限定されるものでなく、適宜変更が可能うである。
【００１２】
【発明の効果】
本発明によれば、富化酸素を衛生的にかつ、顔面部及び頭部への違和感なしに供給することができる。また、患者の顔、表情を隠すことがなく、リラックス効果、清潔感を増すことができる。
【図面の簡単な説明】
【図１】本発明の富化酸素供給用鼻カヌューレを示す図である。
【符号の説明】
１…支持体、１ａ，１ｂ…耳掛部、２…延設部材、３…導入部材、４…肌当パッド、５…チューブ
【図１】
2005034201.tif 000003
(57)【要約】【課題】食事中に箸を置くことにしか使用出来ない。【解決手段】上面に箸置き面２を形成した箸置き本体１に箸Ｃの挿通部４を横貫形成する。単に机、テーブル上に置けば箸置きとして使用出来るほか、箸Ｃを挿通部４内に挿通させれば、２本の棒材Ａ、Ａａで構成された１膳の箸Ｃを一纏めにする箸止めとしても使用出来る。【選択図】        図２
2005034248.tif 000002
【特許請求の範囲】
【請求項１】
上面に箸置き面を形成した箸置き本体に箸の挿通部を横貫形成したことを特徴とする箸止め兼用箸置き。
【請求項２】
挿通部下部に、箸置き本体の下面で開口する切込を形成したことを特徴とする請求項１記載の箸止め兼用箸置き。
【発明の詳細な説明】
【０００１】
【発明の属する技術分野】
本発明は、食事中に箸を置く際に使用する箸置きに、箸止めの機能を具備させた箸止め兼用箸置きに関する。
【０００２】
【従来の技術】
従来、かかる箸置きにあっては、主に陶製で、魚介・動物類、船、野菜その他の形状に形成され、箸を置く際にその上面に箸の先端を置くことで、該先端が机、テーブル面に直に接触しない様にしている。
【０００３】
研究開発段階や出願段階で先行技術調査を行っておらず、記載すべき先行技術文献を知りません。
【０００４】
【発明が解決しようとする課題】
しかし、上記した従来の箸置きにあっては、単に箸置きとしての機能しか備わっておらず、汎用性に乏しい等解決せねばならない課題があった。
【０００５】
【課題を解決するための手段】
本発明は、上記従来技術に基づく、箸置きとしてしか使用出来ない課題に鑑み、上面に箸置き面を形成した箸置き本体に箸の挿通部を横貫形成した箸止め兼用箸置きによれば、単に机、テーブル上に置けば箸置きとして使用出来るほか、箸を挿通部内に挿通すれば、２本の棒材からなる１膳の箸を一纏めにする箸止めとしても使用出来る様にして、上記課題を解決する。
【０００６】
【発明の実施の形態】
以下本発明の一実施例を図面に基づいて説明する。
図１は本発明に係るものを箸置きとして使用した状態を、図２は箸止めとして使用した状態を示す斜視図である。
本発明に係る箸止め兼用箸置きにあっては、陶製、金属、プラスチック製又は木竹製で、横長状に形成された箸置き本体１の上面を、２本の棒材Ａ、Ａａからなる箸Ｃの先端部の箸置き面２とすると共に、下面を机、テーブル上面への載置面３とし、両側端面を凹曲面としている。
又、箸置き本体１に、該箸置き本体１の長手方向に横貫して両側端面で開口する箸Ｃの挿通部４を形成し、該挿通部４の下部に、載置面３で開口する切込５を形成している。
【０００７】
尚、箸置き本体１にあっては、上記形態に限定せず、例えば図３に示す様に、一側端面を凸面、他側端面を凹面としたものにしたり、図４に示す様に魚形に形成したものにしたり、或いは図５に示す様に、上面及び両側面を曲率の大きい凹局面としたものにするなど、魚介・動物類、船、野菜その他の形状であっても良く、而も箸Ｃの先端を載せても落ちない様に箸置き面２が形成されると共に、机、テーブル上面に安定して載置出来る様に載置面３が形成されていれば良い。
又、箸置き本体１には、漆塗り、ウレタン塗装、印刷、絵付け、彫込み模様、メッキ等の表面処理を、その材料により適宜選択して施す様にしている。
【０００８】
次に本発明に係る箸止め兼用箸置きの作用について説明する。
本発明に係るものを机、テーブル上に載置すれば、食事中に使用する箸置きとして利用出来、食事前の配膳時には、挿通部４内に箸Ｃを挿通状態として机、テーブル上に載置すれば、静置時は言うに及ばず、配膳作業時に机、テーブルが動いてしまっても、箸Ｃの先端が机、テーブルに接触しない。
【０００９】
【発明の効果】
要するに本発明は、上面に箸置き面２を形成した箸置き本体１に箸Ｃの挿通部４を横貫形成したので、そのまま机、テーブル上に載置すれば箸置きとなり、挿通部４内に箸Ｃを挿通すれば１膳の箸Ｃを一纏めにする箸止めとなるため、箸置きとしての機能の他に箸止めとしての機能も備えさせることが出来る。
又、挿通部４の下部に、箸置き本体１の下面で開口する切込５を形成したので、特に弾性を有する材料で箸置き本体１が形成されている場合、挿通部４内に箸Ｃを挿通すると、先細状である１膳の箸Ｃを挿通部４内に挿通してゆけば、箸Ｃの外側面が挿通部４の内側面に当たり、それ以上押し込むと切込５が拡開する様に箸置き本体１が弾性変形するため、弾性復元力により挿通状態の箸Ｃのホールド性が向上して抜け難くすることが出来、よって配膳準備時の運搬中等の箸Ｃの抜脱、落下を防止することが出来る等その実用的効果甚だ大である。
【図面の簡単な説明】
【図１】本発明に係る箸止め兼用箸置きを箸置きとして使用した状態を示す斜視図である。
【図２】箸止めとして使用した状態を示す斜視図である。
【図３】箸止め兼用箸置きの他の形状を示す斜視図である。
【図４】箸止め兼用箸置きの他の形状を示す斜視図である。
【図５】箸止め兼用箸置きの他の形状を示す斜視図である。
【符号の説明】
１  箸置き本体
２  箸置き面
４  挿通部
５  切込
Ｃ  箸
【図１】
2005034248.tif 000003
【図２】
2005034248.tif 000004
【図３】
2005034248.tif 000005
【図４】
2005034248.tif 000006
【図５】
2005034248.tif 000007
(57)【要約】【課題】    トルクセンサーがなくても正確なトルク設定ができる電気ドライバー【解決手段】電気ドライバーをＰＷＭ制御し、モーターの力をコントロールする電気ドライバーにおいて、あらかじめＰＷＭパルスデューティー比に対するトルクデーターを実測しておきデーターベース化する。データベース化されたトルク値からデューティー比を参照してモータを駆動する事により、トルクセンサーを必要としないでトルク設定を可能にする事ができる。【特許請求の範囲】
【請求項１】
電気ドライバーをＰＷＭ制御し、モーターの力をコントロールする電気ドライバーにおいて、あらかじめＰＷＭパルスデューティー比に対するトルクデーターを実測しておきデーターベース化する。データベース化されたトルク値からデューティー比を参照してモータを駆動する事により、トルクセンサーを必要としないでトルク設定を可能にする事ができる。
【発明の詳細な説明】
【発明の詳細な説明】
【技術分野】
【０００１】本発明は電機ドライバーにおいてトルクセンサーを内臓しなくてもトルク設定を可能にしたドライバーの製作方法に関するものである。
【背景技術】
【０００２】従来のトルク設定ドライバーでは、電気ドライバー内にトルクセンサーを内臓しリアルタイムに締め付けトルクを監視し、目的の締め付けトルクに達したら電気ドライバーへブレーキをかけ停止させる方法であった。
この方法では、トルクセンサーが必要になり構造も複雑になった。
また、ブレーキ回路も必要になった。
【発明が解決しようとする課題】
【０００３】電気ドライバーにおいて、トルクセンサーを内臓しなくても正確なトルク設定ができる電気ドライバーを目的とした。
【課題を解決するための手段】
【０００４】▲２０▼の電動ドライバーはＰＷＭ制御により▲１３▼のＰＷＭドライバーを介して▲１１▼のＣＰＵでコントロールされる。
まずＰＷＭパルスのデュティーに対する▲２０▼の電動ドライバーのトルク特性のデーターベースを作成する。ＰＷＭのデュティー比を少しづつ変化させ▲２０▼の電動ドライバーに電力を送りながら▲２０▼の電動ドライバーのトルク値を▲３０▼のトルクセンサーにより読み取っていく。この作業を校正作業とする。
校正作業で得られた各ＰＷＭデュティー比に対するトルク値を▲１２▼のメモリーに記憶していく。次に▲２０▼の電動ドライバーで実際にねじ等を締め付ける場合は、▲３０▼のトルクセンサーを取り外し、校正作業で得られたデーターベースからＰＷＭパルスのデュティー比を決定する。
▲１▼のトルク設定器で締め付けたいトルク値を設定する。▲１１▼のＣＰＵは▲１２▼のメモリーからトルク値に対するＰＷＭパルスのデュティー比を検索する。検索されたデュティー比で▲１３▼のＰＷＭドライバーをコントロールし▲２０▼の電動ドライバーへ電力を送る。
こうする事で１のトルク設定されたトルク値が▲２０▼の電動ドライバーへ伝達されるので、設定されたトルク値以上のトルクは▲２０▼の電動ドライバーには供給されない為、正確なトルク値で締め付け作業ができる。
また締め付け作業時にはトルクセンサーがなくても正確なトルク値での締め付けができる。
【発明を実施するための最良の形態】
【０００５】
2005034977.tif 000002
【発明の効果】
【０００６】適切なトルクで締め付けができるため、締め付け破壊やねじのゆるみを防止し、作業効率を大幅に向上させるものである。
(57)【要約】【課題】  バッテリー式アーク溶接機を最新の半導体技術を応用して、高効率化して省エネルギー、省資源、小形、軽量化、を達成すると共に溶接作業の作業性を良くする。【解決手段】  バッテリー（４８Ｖ）から供給される電源で制御回路は時比率可変の高周波の矩形波でパワースイッチ回路を駆動する、パワースイッチ回路は制御回路の出力を電力増幅する働きをする、電力増幅された矩形波電流は平滑回路で平滑され直流になり出力となるこの出力の、電圧、電流、は制御回路に帰還され設定回路の信号電圧と比較され設定された電圧、電流を出力する、又半導体の過熱保護、バッテリーの減電圧保護、など制御回路が検知して機器を安全に動作させる、バッテリーの充電回路は断続制御回路を応用して絶縁変圧器の駆動周波数を５０ＫＨｚにする、このことにより絶縁変圧器の小形、軽量化を達成する、尚且つ時比率制御により高精度定電圧、定電流、特性えてバッテリーを安全かつ完全に充電する。【選択図】  図１
2005034903.tif 000002
【特許請求の範囲】
【請求項１】
アーク電流の制御に断続制御回路使用したアーク溶接機
【請求項２】
バッテリーの充電と補助電源に用いる直流電源を商用電源から変換するのに絶縁型断続制御回路を使用したアーク溶接機
【発明の詳細な説明】
【発明の詳細な説明】
【技術分野】
【０００１】この発明は工事現場等で使用する移動型アーク溶接機（バッテリー溶接機）を小型、軽量化、なお高効率化、するためのものである。
【背景技術】
【０００２】工事現場等電源事情のよくない場所、又は商用電源の設置されていない場所でのアーク溶接作業は、内燃機関で発電機を運転してその電源によりアーク溶接作業をする方法と、バッテリーを電源としてアーク溶接作業をする方法である、現在使用されているバッテリー溶接機の構造（回路）はアーク電流の制御に抵抗器を使用している、アーク電流の調節は２−３種類の抵抗値を切り換えている、たとえばアーク溶接のアーク電圧２５Ｖ、アーク電流１００Ａ、バッテリー電圧４８Ｖ、とすると抵抗値は０．２３Ωになり電力損失は２３００Ｗになるアーク電力は２５００Ｗ、であるため供給電力の半分あまりの電力が損失となる、また電流調節の微調節は不可能である、当然バッテリー電圧が低下すれば、アーク電流も低下して安定した溶接作業が不可能になる、そのため大容量のバッテリーが必用となる、又バッテリーを充電する充電器は商用電源（５０／６０Ｈｚ）を直接変圧して整流したものでバッテリーの特性が要求する充電をすることができないためバッテリーの寿命を短くすることがある、当然、変圧器は商用電源用であるため大きくて重い、以上のことにより従来のものは、大きくて重くて低効率である。
【発明が解決しようとする課題】
【０００３】（イ）バッテリー溶接機の効率の改善とアーク電流を微調節できるようにするとともにバ      ッテリーを小型化する。
（ロ）バッテリー溶接機に付属する充電器の小型化するともにバッテリーの要求する充電      特性の充電をしてバッテリーの寿命をのばす、とともに効率を改善する。
【課題を解決するための手段】
【０００４】（イ）アーク溶接時に用いる電流制限と電流調節に使用する素子を従来の技術で使用して      いる単純な受動素子抵抗器に換えて能動素子である半導体を使用した断続制御回路      に換える、そうすることで高効率と電流を微調節する事ができる
（ロ）充電器も半導体を使用した断続制御回路を使用して、その断続周波数を５０ＫＨｚ      程度にすれば、絶縁変圧器の容積、重量ともに商用周波数（５０／６０Ｈｚ）用の      数十分の一になる、電圧、電流の制御を時比率制御を行うことで、バッテリーの要      求する高精度制御の電圧、電流を供給することができるため、バッテリーの寿命を      延ばすことができる。
【実施例】
【０００５】以下本発明の実施例を図面を参考に具体的に説明する。【０００６】図１においてバッテリー（４８Ｖ）電源からパワースイツチング回路及び制御回路に直流電源が供給される制御回路約５０ＫＨｚの矩形波でパワースイチング回路を駆動するパワースイッチ回路ＯＮの時には平滑チョークコイルを介して出力に電流を供給する、そのとき平滑チョークコイルに電磁エネルギー蓄積する、そしてパワースィツチ回路がＯＦＦの時そのエネルギーを放出する、この結果パワースイッチ回路のＯＮ／ＯＦＦで育成した矩形波の高周波電圧を直流電流に変換することができるまたパワースイッチ回路のＯＮ／ＯＦＦの時比率を調節すれば電流の大きさを（０−１００％）の範囲で調節することができる、この調節は制御回路の制御電圧５Ｖの電圧を調節するので小型の可変抵抗で可能である、そして出力電圧、出力電流を制御回路に帰還させれば定電圧、定電流電源として動作する、そのことはバッテリー電圧が降下しても出力電流は一定になり安定した溶接を行うことができる。【０００７】図２において、商用電源（１００Ｖ，５０／６０Ｈｚ）は突入電流阻止回路、雑音防止回路を介して整流回路で整流され直流電源（≒１３０Ｖ）となりパワースイッチ回路及び制御回路に供給される、制御回路は約５０ＫＨｚの矩形波を出力してパワースイッチ回路を駆動して５０ＫＨｚの高周波電源を育成する、
この高周波電源にて絶縁変圧器の一次巻線を駆動して二次巻線から絶縁、変圧された高周波電源を整流平滑して直流電源になりバッテリーの充電及び補助電源になる、制御回路はＯＮ／ＯＦＦの時比率を制御するため効率の高い定電圧、定電流、電源になるため、バッテリーの要求する高精度電圧と電流を供給する事ができる、絶縁変圧器を高周波化したため大きさ重量とも非常に小さく軽くできる、
【発明の効果】
【０００８】本発明は実施例、図１に説明したように従来のバッテリー式アーク溶接機電流制御素子に抵抗器を使用していたものを時比率可変の断続制御回路におきかえて高効率化とアーク電流の微調整を可能にした、バッテリーの小型化もできる。
【０００９】（イ）本発明は実施例、図２に説明したように従来のバッテリー溶接機が充電器の絶縁変      圧器を商用電源（５０／６０Ｈｚ）で駆動しているのを断続制御の時比率可変の回      路に換えで高周波の矩形波（５０ＫＨｚ）で駆動することで絶縁変圧器を小さく軽      くすることができる、定電圧、定電流特性が高精度となりバッテリーの要求する充      電特性を得ることができる。
【００１０】上記二つのことは溶接機の筐体も小さく軽くできるため運搬、作業とも従来２人でおこなつたものが１人で可能となる、また省エネルギー、省資源に大きく貢献できる。
【図面の簡単な説明】
【００１１】
【図１】バッテリー式アーク溶接機のアーク電流制御部ブロツク図
【図２】バッテリー式アーク溶接機のバッテリー充電部ブロツク図
【図３】従来の技術のブロック図
【図１】
2005034903.tif 000003
【図２】
2005034903.tif 000004
【図３】
2005034903.tif 000005
(57)【要約】【目的】多くの多種類の衣料を容易に管理するために使用する機材を提供する。【構成】エラストマースパンボンド不織布等の高い摩擦抵抗を有する滑り止め材を備えたハンガー。【特許請求の範囲】
【請求項１】
上部で吊すなどの保持し接触する部分に、エラストマースパンボンド不織布等の高い摩擦係数を有する布を滑り止め材として備えたハンガー。
【請求項２】
請求項１で、高い摩擦係数を有する布の一部にボタンや紐を装着した滑り止め用の布。
【請求項３】
請求項１で使用する高い摩擦係数を有する布を、吊り下げ用途のバー（棒）に使用した滑り止め装置。
【請求項４】
請求項１のエラストマースパンボンド不織布等の高い摩擦係数を有する布の同等品として、不滑処理した表面を持つ布を使用すること。
【発明の詳細な説明】
【技術分野】
【０００１】  本発明は、布の表面を不滑化し、更にその不滑度を強化して衣装用ハンガー等の吊り下げ用バー（棒）の滑り止め用装置として使用するものである。
【背景技術】
【０００２】  衣装用ハンガーのズボン（パンツ）を吊すハンガーは滑りやすく、吊すものの重心を探すなどの苦労、面倒さがあった。特に夏用のものなどは、全体が軽量であるためにバランス良く固定して吊すことが難しかった。
この為に取られている対策として、ハンガーのバーの部分にクリップや爪等を装着し、衣類を機械的に掴ませる方法である。
【発明の開示】
【発明が解決しようとする課題】
【０００３】  上記に記す如き、ハンガーに機械的なものを装着するやり方は、取扱の面倒さもさることながら保持する強度が充分に満足できるものではない。
これらは機械的に保持するために、その爪痕など衣類にダメージを与える等の問題点がある。又、複数の衣類を保持することも難しい。
【課題を解決するための手段】
【０００４】  本発明によると、エラストマースパンボンド不織布の如き摩擦抵抗の大きい不滑な表面を持つ布を、ハンガーに掛けることにより、その上に吊すズボン等の衣類の滑り止めの目的を容易に達することが出来る。
更に、複数の本発明による布を設備することにより、容易に複数の衣類の重ね吊りすることが出来、普通に生じるであろう衝撃でも滑り落ちることはない。【０００５】  請求項１にいうエラストマースパンボンド不織布等の高い摩擦抵抗を有する布としては、不滑の表面処理をした布でも、同等の摩擦抵抗があれば使用することが出来る。
【発明の効果】
【０００６】  「ストラフレックスＰＮ２１５０」や相当品を、ハンガーに付加するという簡単な加工により、多くの各種の衣類の保管、管理を容易に行うことが出来る。
【発明を実施するための最良の形態】
【０００７】  エラストマースパンボンド不織布をハンガーの衣類を保持する部分に付着させ、布の残りの部分を下部へフリーの状態に置き、その上に衣類を掛けることにより多種、多量の衣類を保管、管理する。
【実施例】
【０００８】  高い摩擦抵抗を有する布として、出光ユニテック株式会社製の「ストラフレックスＰＮ２１５０」で、厚さ０．５２ｍｍ、幅３００ｍｍ、長さ５００ｍｍの布を使用した結果では、衣類との接触面積が１，５００平方ｃｍであり、一般の場合に比較して２０倍であることもさることながら、「ストラフレックスＰＮ２１５０」の持つ大きな摩擦力により、多くの種類の衣類でテストしても、全て安定して保持されていた。
(57)【要約】【目的】子供に砂場等において使用する玩具用ブロックを提供する。【構成】各種カラーの発泡ガラスボードより各種形状のブロックに加工成形し、場合により、裏面に不織布等を貼り、又、端面の平滑処理を行う。【特許請求の範囲】
【請求項１】
嵩比重が０．２〜１．０で、吸水率が３０％以下の発泡ガラスボードを、砂場などにおいて子供の玩具として使用するために各種形状に加工したブロック。
【請求項２】
各種のカラーからなる請求項１のブロック。
【請求項３】
裏面に紙、布、不織布等を貼り付けることにより、取扱を容易にした請求項１のブロック。
【請求項４】
端面の角に丸みを持たせる加工処理した請求項１のブロック。
【発明の詳細な説明】
【技術分野】
【０００１】  本発明は、廃ガラスびんや廃板ガラスとして通常最終処分場へ廃棄されるガラスを主原料として、これを粉砕し、発泡剤を混合後、発泡、焼成せしめ更に徐冷して発泡ガラスボードとし、これを各種ブロックに加工し使用するものである。
【背景説明】
【０００２】  現在使用されているものは、木製のもので子供が持ち歩くにしては重量的に問題があった。又、プラスチック製のものは、製作上の点より好みに合わせて多くの種類のものを作るのに難点があった。
【発明の開示】
【発明が解決しようとする課題】
【０００３】  本発明によるブロックを砂場などで使用することにより、多種多様な子供の感性に合わせて玩具を提供することが出来る。
【課題を解決するための手段】
【０００４】  本製品は、上記の問題点を解決して、子供達の好みに合わせて、容易に多くの形状・カラーの種類のブロックを提供するものである。又、このブロックは従来の類似品と異なり、砂場などの現場で加工することも出来る製品を提供する。【０００５】  必要に応じて、端面を一部凹凸状として、ブロック積み上げなどの便利さを図る。【０００６】  裏面に紙、布、不織布等を貼り付ける等の加工を行い、取扱の便利さを図る。
【発明の効果】
【０００７】  上記の発明が解決しようとする課題や手段の項でも述べたように、大人とは違って多種多様の感性を持ち、又それを伸ばしていくであろう子供にとって、このような道具であるブロックを提供することは、精神的な、又感性的な成長に貢献するものである。
【発明を実施するための最良の形態】
【０００８】  子供達の好みに合わせて、多くの形状のブロックを作り、又、各種のカラーのブロックを揃えて、持ち運びに便利なように１セットを１ケースに入れて提供する。
又、砂場などの現場で簡単に子供でも加工することが出来るので、加工用の簡単な工具を一緒に含めて提供する。
(57)【要約】【課題】  体操棒の操作に変化をもたせ、児童の関心を高め、健康増進に役立つ用具を開発すること。【解決手段】  体操棒に端部に凹部のある封止体を設け、その凹部に鍔または布などを付設したこと。【選択図】  図１
2005034573.tif 000002
【特許請求の範囲】
【請求項１】
体操棒本体１の端部に封止体２を接続するにあたり、封止体２に凹部３を設け、その凹部に鍔または布などを付設した体操棒。
【発明の詳細な説明】
【技術分野】
【０００１】  本発明は、国際特許分類Ａ６３Ｂの体操用具に属する。
【背景技術】
【０００２】  児童が操作する体操棒は、棒状なので動きの軌跡が単調で、活発に見えないため、その改善が背景である。
【発明の開示】
【発明が解決しようとする課題】
【０００３】  解決しようとする問題点は、児童が操作する体操棒の動きに新しい軌跡を加え、体操棒運動に興味をもたせること。
【課題を解決するための手段】
【０００４】  本発明の特長は、解決手段として体操棒の端部に凹部のある封止体を設け、その凹部に鍔または布などを取り付けたことである。
【発明の効果】
【０００５】  本発明にかかる体操棒は、体操棒端部の鍔または布などの軌跡が、新体操の布などの様に流れ、児童の好奇心を高め、自然に健康増進が出来る。
【発明を実施するための最良の形態】
【０００６】  体操棒の端部に、封止体に鍔または布を確実に保持する凹部を設ける。
【実施例】
【０００７】  図１は、本発明による体操棒の平面図で、１は体操棒本体、２は端の封止体、３は封止体に設けた凹部、４は凹部に付設する鍔または布を示す。
本発明の構成は、この様に児童が扱い易いことを考慮している。
【産業上の利用可能性】
【０００８】  体操棒本体１に取り付ける端の封止体２の凹部３に付設する鍔または布などを、随意に選択、変更することが出来るので、児童体育に好適で健康増進に有益である。
【図面の簡単な説明】
【０００９】
【図１】体操棒の平面図
【図２】体操棒の本体
【図３】封止体Ａ−Ａ平面図
【図４】封止体Ｂ−Ｂ平面図
【符号の説明】
【００１０】  １  体操棒本体
２  封止体
３  凹部
４  鍔または布
【図１】
2005034573.tif 000003
【図２】
2005034573.tif 000004
【図３】
2005034573.tif 000005
【図４】
2005034573.tif 000006
(57)【要約】      （修正有）【課題】日常の家庭での入浴習慣を快適で体の芯まで暖まる健康的な入浴を生活習慣として最適な時間で実施できるよう、また省資源（節水）を兼ね備えた温水噴射循環装置を提供する。【解決手段】浴槽１内の湯水に下半身を浸し、その湯水を揚水ポンプ３で吸い上げ、噴射ノズル８から上半身に噴射させ、上半身が湯圧を受けることなく快適で短時間の入浴で体の芯まで温めることが出来る温水噴射循環装置。健康上からも好ましく家庭での入浴習慣の改善が出来る。【選択図】図２
2005034576.tif 000002
【特許請求の範囲】
【請求項１】
浴槽上部を密閉し人体の下半身を浴槽の湯水に浸し、下半身の湯水を浴槽内に設置したポンプにより揚水管で吸い上げ噴射ノズルから人体の上半身に噴射させ上半身を湯圧で圧迫させることなく、また下半身の湯水量を増減させることなく循環させ、最適な時間帯で体の芯まで温め快適な入浴が出来る温水噴射循環装置。
【請求項２】
低電圧の防水型ポンプを本装置内に設置し浴槽内の湯水をポンプで汲み上げ揚水管先端のノズルから浴槽内に滴下させ浴槽内の温湿度を高める。
【請求項３】
浴槽上部に空気取り入れ口を設け、湯水に空気を取り入れ浴槽内のノズルから入浴中の身体に気泡を噴射する。
【請求項４】
請求項２に示したように低電圧ポンプを使用するため従来のジェットバスに較べてコードレス、工事レスが可能でユーザーにとって設置が容易である。
【請求項５】
噴射ノズルに複数の穴をあけ、その噴射孔より噴射と滴下を自在に調整できる装置。
【発明の詳細な説明】
【発明の詳細な説明】
（発明の属する技術分野）
【０００１】本発明は浴槽装置に関するもので、詳しくは浴槽水の循環、吐出装置に関するものである。（従来の技術）
【０００２】現在、家庭で一般に利用されているのは全身浴で、この場合、上半身が湯圧に圧迫されるため短時間の入浴にとどまり体の内部まで温まることが出来なかった。また最近、下半身浴が良いと言われているが、体の内部まで温まるには長時間の入浴が必要であり、かつ上半身を室内の低温度の空気に曝すため上半身を冷却し夏以外の季節には実施することが出来なかった。（発明が解決しようとする課題）
【０００３】本案は浴槽内に人体が入り、上部を密閉し下半身部を湯水に浸し、その湯水をポンプで導管を通じ噴射ノズルから上半身部に噴射させるので上半身は湯圧を受けることなく快適で短時間の入浴で体の内部まで温まり、誰でも容易に利用、日常生活に習慣付けることが出来る。
【０００４】本発明の目的はより快適な入浴を短時間で体の芯まで暖める健康的な入浴と浴槽内の湯水を循環して利用する省資源（節水）をかねた密閉浴槽内での湯水噴射循環装置を提供するものである。（課題を解決するための手段）
【０００５】本発明は浴槽上部を全面的に覆う上蓋、浴槽内には下半身を湯水に侵し、浴槽内に設置した揚水ポンプで導管を通じ先端の噴射ノズルから人体の上半身に噴射させ、その後下半身の湯水に戻して、これを繰り返す。（請求項１）
【０００６】浴槽上部に設置した低電圧揚水ポンプで浴槽からの揚水を揚水管を通じて噴射ノズルから人体に噴射させ、元の湯水に戻し循環させる。（請求項２）
【０００７】浴槽上部には空気取り入れ口を設けて、揚水管から取り入れられた湯水に合流させて気泡を生じさせて噴射させるようにした。（請求項３）
【０００８】浴槽の大きさにより上部に設置された湯水用水管及び噴射ノズルを浴槽の上部縁に合致して設置されるよう調整機能を持った機構。（請求項４）
【０００９】浴槽上部に設置されたポンプスイッチにより噴射量の大小を調整できるようにした構造（請求項５）（発明の実施の形態）
【００１０】本発明の実施形態の例を図で参照して説明する。（図−１）は本発明に係る実施形態の外観及び構成を示すものである。浴槽１の浴槽内に、人体の下半身が浸かる程度の湯水を入れ、その上に本発明の温水噴射循環装置を設置し、蓋４，５で浴槽を覆う。当装置にはポンプスィツチ３ａがあり、「切」「弱」「強」とポンプの水量を制御し、（図−３）で説明するような好みの状態を作り出すことができる。（図−２）は湯水の配管の構成図を（図−１）のＡ−Ａ‘断面視図で説明する。ポンプ３により、揚水管６より吸い上げた揚水は、導管６を通って噴射ノズル８より、揚水を滴下することにより浴槽内の温湿度を高めたり、噴射して身体のマッサージを行ったり、一方デイフーザー９を通った揚水は、空気を取り入れて、気相流を（空気＋水）噴射口より噴射して太もも等のマッサージを行う。（図−３）は揚水の噴射状態を示す。ポンプ３で揚水管６より汲み上げた揚水は、左右の導管７を通って、噴射ノズル８より噴出する。この時、ポンプスイッチ３ａが「弱」の時、噴射した揚水は１２のごとく水面に滴下して浴槽内の温湿度を高め、ポンプスイッチ３ａが「強」の時、噴射した揚水は１３のごとく身体に向って噴射し身体のマッサージ等を行う。一方、導管７を通った揚水はデイフユーザー９を通ることにより空気取り入れ口１０より空気を吸い込み、気相流となった揚水は（水＋空気）噴射口より噴射して太もも等のマッサージを行う。この気相流はポンプの「強」「弱」に関係なくポンプを運転している間は噴射口より流出する。（発明の効果）
【００１１】従来の家庭での入浴は全身浴が主体であるが半身浴の効果が見直されてきている。（１）半身浴の効能は上半身に水圧がかからないので心臓に負担をかけないので心臓疾患、老人の入浴には最適である。（２）マッサージ効果が良くなり血液の新陳代謝を促進し筋肉の疲れをほぐし全身をリラックスにする。（３）半身浴は全身浴に比べ発汗作用が大でありダイエット効果がある。
【図面の簡単な説明】
【００１２】【図１】本発明に係る温水噴射循環装置の概念的外観構成図である。
【図２】（図−１）のＡ，Ａ’断面図で、本発明に係わる概念的配管構成図である。
【図３】揚水の概念的噴射状況である。
【符号の説明】
１  ：  浴槽  ２  ：  本発明の温水噴射循環装置  ３  ：  ポンプ  ３ａ：  ポンプスイッチ、及び電池電源  ４  ：  蓋Ａ  ５  ：  蓋Ｂ  ６  ：  揚水管：  ７  ：  導管  ８  ：  噴射ノズル  ９  ：  デフューザー１０  ：  空気取入れ口１１  ：  （水＋空気）噴射口１２  ：  ポンプ「弱」運転時の揚水の軌跡１３  ：  ポンプ「強」運転時の揚水の軌跡１４  ：  水面
【図１】
2005034576.tif 000003
【図２】
2005034576.tif 000004
【図３】
2005034576.tif 000005
(57)【要約】【課題】鼻うがいをスムーズに行う事が出来る器具を提供する。【解決手段】水を貯める部分（２）に注ぎ口（１）を設け、その水を貯める部分の片側横に柄（３）を設けることを特徴とする。【選択図】図１
2005034598.tif 000002
【特許請求の範囲】
【請求項１】
注ぎ口（１）の付いた水を貯める部分（２）と柄（３）とで構成されている鼻うがいに用いる器具。
【発明の詳細な説明】
【発明の詳細な説明】
【技術分野】
【０００１】  この発明は鼻うがいを手軽に行える様、用いる器具に関するものである。
【背景技術】
【０００２】  従来、鼻うがいをするには、コップやさじ等身近なところにあるものを代用していた。
【発明が解決しようとする課題】
【０００３】  これには次のような欠点があった。
（イ）  うまく鼻の穴に注ぐ事が困難で、顔に塩水をかぶってしまっていた。
（ロ）  慎重にゆっくり行わないといけない為、効果があるとわかっていてもなかなか長続きしなかった。
本発明は、これらの欠点を除くためになされたものである。
【課題を解決するための手段】
【０００４】  水を貯める部分（２）の片側に柄（３）を持たせ、水を貯める部分（２）には注ぎ口（１）を付ける。
本発明は、以上のような構成よりなる鼻うがいに用いる器具である。
【発明を実施するための最良の形態】
【０００５】  以下、本発明の実施例について説明する。
（イ）  注ぎ口（１）の付いた水を貯める部分（２）を設ける。
（ロ）  水を貯める部分（２）の片側横に長い柄（３）を設ける。
本発明は以上のような構造で、これを使用するときは、塩水を水を貯める部分（２）に入れ、柄（３）を持ち鼻へ持っていき、注ぎ口（１）より鼻の穴へ塩水を注ぎ入れる。
注ぎ口（１）がある為、顔に塩水をかぶる事なくスムーズに鼻うがいが出来る。
また  柄（３）が付いている為、使用後器具を洗った後は歯ブラシ立てに収納も出来る。
なお図１に示すように、柄（３）の端に穴（４）を開ける事で収納時吊せる様にしてもよい。
【発明の効果】
【０００６】  鼻うがいをスムーズに行えるという事で、鼻うがいを気軽に行う事が継続を生み、花粉症等の症状緩和を維持出来る。
【図面の簡単な説明】
【図１】本発明の斜視図である。
【符号の説明】
１  注ぎ口、  ２  水を貯める部分、  ３  柄、  ４  穴
【図１】
2005034598.tif 000003
(57)【要約】      （修正有）【課題】  従来の寝具として使われているマットで抱き合って寝る場合、相手の頭部や胴体の下に腕を入れても圧迫されしびれなど不快を感じないマットを提供する。【解決手段】  人が抱き合って寝る時、相手の体で腕を圧迫されぬようにマット１に溝２，３，４を設けたものである。【選択図】図１
2005034592.tif 000002
【特許請求の範囲】
【請求項１】
人と人が抱き合って寝る時、腕が相手の頭部や胴体によって圧迫されぬようにマットに溝を設けた寝具。
【発明の詳細な説明】
【技術分野】
【０００１】  本発明は不快を感じる事なく長時間人が抱き合える寝具に関する。
【発明の開示】
【発明が解決しようとする課題】
【０００２】  従来の寝具に使われているマットは人が抱き合って寝る時、相手の頭部や胴体の下に腕を入れると腕のしびれなど不快を感じるものであった。
【課題を解決するための手段】
【０００３】  本発明はこのような従来の寝具に使われているマットの形態が有していた問題を解決しようとするものであり、人が抱き合って寝る時に相手の体で腕を圧迫されぬようにマットに溝を設けたものである。
【発明の効果】
【０００４】  上述したように本発明のマットは不快を感じる事なく長時間抱き合え親密度を高める。
【発明を実施するための最良の形態】
【０００５】  以下、本発明の実施の形態を図１に基づいて説明する。【０００６】  図１において１は従来の寝具のマットである。【０００７】  ２と３は互いの腕が相手の胴体の下を通るように設けた溝である。【０００８】  ４は相手の頭部の下を通るように設けた溝である。
【図面の簡単な説明】
【０００９】
【図１】本発明の実施形態を示す寝具マットの立面図。
【符号の説明】
【００１０】１は寝具マット本体。
【００１１】２と３と４は本発明である腕が相手の体の下を通るように設けた溝。
【図１】
2005034592.tif 000003